(57)【要約】【課題】収録前の複雑な設定操作をユーザに強いることなく楽器演奏採点サービスを利用させ得るような仕組みを提供すること。【解決手段】楽器演奏採点サービスの採点対象となる各課題曲の演奏音の収録手順を記述した動作制御ファイルを収録通信端末にダウンロードさせ、動作制御情報ファイルに従って端末を動作させることにより、演奏音の収録からそのオーディオデータのアップロードまでをオートマティックに行わせるようにした。【選択図】図１
2007171252.tif 000002
【特許請求の範囲】
【請求項１】
演奏音を収録する収録部と情報の送受信を行う通信部とを少なくとも備えた収録通信端末に演奏音のオーディオデータを取得させてその評価サービスを行う装置へアップロードさせる収録通信端末制御方法であって、
第１のサーバ装置が、評価対象となる演奏音を収録してそのオーディオデータを得るための収録通信端末の動作手順と評価サービスを行う第２のサーバ装置のアドレスとを表す端末動作制御情報を自装置の記憶手段から読み出して収録通信端末へ送信するダウンロード工程と、
通信部を介して端末動作制御情報を受信した収録通信端末の制御部が、その端末動作制御情報が表す動作手順に従って収録部を制御することで当該収録部に収録させた演奏音のオーディオデータを取得し、取得したオーディオデータを当該端末動作制御情報が表すアドレス宛てに通信部を介して送信するアップロード工程と
を有する収録通信端末制御方法。
【請求項２】
請求項１に記載の収録通信端末制御方法において、
前記ダウンロード工程は、
パーソナルコンピュータが第１のサーバ装置にアクセスし、端末動作制御情報の格納位置を示す当該第１のサーバ装置の記憶手段内のアドレスを受信する工程と、
第１のサーバ装置からアドレスを受信したパーソナルコンピュータが、そのアドレスを収録通信端末へ送信する工程と、
パーソナルコンピュータからアドレスを受信した端末装置が、そのアドレスを含むリクエストを通信部を介してネットワークへ発信する工程と
を有する収録通信端末制御方法。
【請求項３】
請求項１又は２に記載の収録通信端末制御方法であって、
前記端末動作制御情報は、
演奏音を収録する際における前記収録部の収録特性の設定手順を表すものであり、
前記アップロード工程は、
端末動作制御情報を受信した収録通信端末の制御部が、その端末動作制御情報に従って収録部の収録特性を設定した後、その収録部に収録させた演奏音のオーディオデータを取得する工程を有する
収録通信端末制御方法。
【発明の詳細な説明】
【技術分野】
【０００１】
本発明は、演奏音の収録機能と通信機能とを備える端末の制御方法に関する。
【背景技術】
【０００２】
特許文献１には、各種アプリケーションを用いて再生される音楽コンテンツや画像コンテンツなどを自身のメモリから読み出してサーバなどへ送信する通信機能を備えた端末装置の開示がある。
【特許文献１】特開２００５−１５７９５０号公報
【発明の開示】
【発明が解決しようとする課題】
【０００３】
ところで、ネットワークを介した楽器演奏採点サービスを行う事業者の多くは、特許文献１に記載された類の通信機能と各種楽器の演奏音を収録する機能とを兼備した小型の端末装置をサービスの利用主体たる各ユーザに配布し、その端末装置を通じてサービスの提供を行っている。端末装置の配布を受けたユーザは、各種楽器を用いて所定の課題曲を演奏し、その演奏を端末装置に収録させて得たオーディオデータを事業者の運営するサーバ装置に送信させることにより、自身の演奏の巧拙の客観的な評価を受けることができる。
しかしながら、これまでこの種の採点サービスに用いられてきた端末装置は、良好な収録特性を得るための端末の設定をユーザに強いる構成となっていた。よって、収録前の煩わしい操作を好まないユーザには不向きなものであった。
本発明は、このような背景の下に案出されたものであり、収録前の複雑な設定操作をユーザに強いることなく、極めて簡易な操作によって楽器演奏採点サービスを利用させ得るような仕組みを提供することを目的する。
【課題を解決するための手段】
【０００４】
本発明の好適な態様である収録通信端末制御方法は、演奏音を収録する収録部と情報の送受信を行う通信部とを少なくとも備えた収録通信端末に演奏音のオーディオデータを取得させてその評価サービスを行う装置へアップロードさせる収録通信端末制御方法であって、第１のサーバ装置が、評価対象となる演奏音を収録してそのオーディオデータを得るための収録通信端末の動作手順と評価サービスを行う第２のサーバ装置のアドレスとを表す端末動作制御情報を自装置の記憶手段から読み出して収録通信端末へ送信するダウンロード工程と、通信部を介して端末動作制御情報を受信した収録通信端末の制御部が、その端末動作制御情報が表す動作手順に従って収録部を制御することで当該収録部に収録させた演奏音のオーディオデータを取得し、取得したオーディオデータを当該端末動作制御情報が表すアドレス宛てに通信部を介して送信するアップロード工程とを有する。
【０００５】
この態様において、前記ダウンロード工程は、パーソナルコンピュータが第１のサーバ装置にアクセスし、端末動作制御情報の格納位置を示す当該第１のサーバ装置の記憶手段内のアドレスを受信する工程と、第１のサーバ装置からアドレスを受信したパーソナルコンピュータが、そのアドレスを収録通信端末へ送信する工程と、パーソナルコンピュータからアドレスを受信した端末装置が、そのアドレスを含むリクエストを通信部を介してネットワークへ発信する工程とを有する。
【０００６】
また、前記端末動作制御情報は、演奏音を収録する際における前記収録部の収録特性の設定手順を表すものであり、前記アップロード工程は、端末動作制御情報を受信した収録通信端末の制御部が、その端末動作制御情報に従って収録部の収録特性を設定した後、その収録部に収録させた演奏音のオーディオデータを取得する工程を有してもよい。
【発明の効果】
【０００７】
本発明によると、収録前の複雑な設定操作をユーザに強いることなく、極めて簡易な操作によって楽器演奏採点サービスを利用させることができる。
【発明を実施するための最良の形態】
【０００８】
（発明の実施の形態）
本願発明の実施形態について説明する。
本実施形態の特徴は、楽器演奏採点サービスの採点対象となる演奏音の収録の手順を記述した制御情報をユーザの端末装置にダウンロードさせ、その制御情報に従って端末装置を動作させることにより、演奏音の収録からそのオーディオデータのアップロードまでをオートマティックに行わせるようにした点である。
【０００９】
図１は、本実施形態にかかる採点サービスシステムの全体構成図である。図に示すように、本システムは、収録通信端末１０、パーソナルコンピュータ３０、設定支援サーバ装置４０、及び採点サービス提供サーバ装置５０をネットワーク６０に接続してなる。
収録通信端末１０とパーソナルコンピュータ３０は、楽器演奏採点サービスを利用するユーザに一対ずつ使用される。図には、収録通信端末１０とパーソナルコンピュータ３０が一対しか記載されていないが、この対はユーザと同じ数だけ存在する。採点サービス提供サーバ装置５０は、楽器演奏採点サービスを提供する事業者（以下、「採点サービス提供者」と呼ぶ）の管理の下に稼動されるサーバ装置である。設定支援サーバ装置４０は、採点サービス提供者と提携関係にあってその支援業務を行う事業者（以下、「支援事業者」と呼ぶ）の管理の下に稼動されるサーバ装置である。本実施形態においては、楽器演奏採点サービスの利用を希望する者がその利用申込を行うと、採点サービス提供者によって固有のユーザＩＤが発行され、収録通信端末１０が配送されるようになっている。ユーザＩＤの発行及び収録通信端末１０の配送を受けたユーザは、その収録通信端末１０に自らのパーソナルコンピュータ３０や各種楽器を接続して起動させることによりサービスの提供を受けることになっている。
【００１０】
収録通信端末１０は、ＣＰＵ１１、ＲＡＭ１２、ＲＯＭ１３、ネットワークインターフェース１４、フラッシュメモリ１５、ＵＳＢ（Universal Serial Bus）インターフェース１６の他、「受信」、「送信」、「収録」、「停止」、及び「再生」の５種類のボタンを備えた操作子１７、５インチ程度の狭小な表示領域を有するコンピュータディスプレイ１８、スピーカを接続してオーディオ信号を出力するためのスピーカインターフェース１９、各種楽器を接続してステレオ２チャンネルのオーディオ信号を入力するためのオーディオインターフェース２０などを備える。そして、この端末１０のフラッシュメモリ１５は、放音制御プログラム１５ａと収録制御プログラム１５ｂとを記憶する。
【００１１】
放音制御プログラム１５ａは、オーディオデータにその符号化規格に準拠したデコード処理を施すことでオーディオ信号を復元し、復元したオーディオ信号の利得を所定の増幅率で増幅した上でスピーカインターフェース１９から出力させるプログラムである。ＲＡＭ１２をワークエリアとしてこの放音制御プログラム１５ａを実行するＣＰＵ１１は、オーディオデータをデコードして得たオーディオ信号を出力する放音制御部として機能する。ＣＰＵ１１を放音制御部として機能させる際のオーディオ信号の増幅率は、外部装置から供給されるパラメータによって任意に設定可能である。以降の説明においては、ＣＰＵ１１を放音制御部として機能させる際の増幅率の設定を適宜「放音設定」と呼ぶ。
【００１２】
収録制御プログラム１５ｂは、オーディオインターフェース２０を介して入力されてくる２チャンネルのオーディオ信号に各種エフェクトを付与するための信号処理を施してから所定の混合比率でミキシングし、更に所定の符号化規格に準拠したエンコード処理を施すプログラムである。なお、本実施形態においてはオーディオインターフェース２０から入力されてくるオーディオ信号が２チャンネルであるが、マルチチャンネルのオーディオ信号が入力されるようにしてもよい。ＲＡＭ１２をワークエリアとしてこの収録制御プログラム１５ｂを実行するＣＰＵ１１は、オーディオ信号にエンコード処理を施してオーディオデータを取得する収録制御部として機能する。ＣＰＵ１１を収録制御部として機能させる際における、エフェクトの種別、混合比率、及びエンコードの符号化規格は、外部装置から供給されるパラメータによって任意に設定可能である。以降の説明においては、このプログラムに従ってオーディオ信号からオーディオデータを取得する際における、エフェクト種別、ミキシング比率、及び符号化規格の設定を適宜「収録設定」と呼ぶ。
【００１３】
パーソナルコンピュータ３０は、ＣＰＵ３１、ＲＡＭ３２、ＲＯＭ３３、ネットワークインターフェース３４、ハードディスク３５、キーボード３６、マウス３７、ＵＳＢインターフェース３８などを備えた周知の構成を成すものであり、ここでは各部の詳細な説明を割愛する。
【００１４】
設定支援サーバ装置４０は、ＣＰＵ４１、ＲＡＭ４２、ＲＯＭ４３、ネットワークインターフェース４４、ハードディスク４５などを備える。ハードディスク４５は、初期設定動作制御ファイル４５ａ、ファイルリストデータベース４５ｂ、及びリスト雛形画面データ４５ｃを記憶する。図に示す初期設定動作制御ファイル４５ａは、楽器演奏採点サービスの課題曲と同じ数だけ個別に準備されている。
図２（ａ）に示すように、初期設定動作制御ファイル４５ａは、コンテンツＩＤ、伴奏曲オーディオデータ、放音設定パラメータ、収録設定動作制御ファイルＵＲＬ（Uniform Resource Locator）、ユーザインターフェース（以下、「ＵＩ」と記す）画像データを含んでいる。コンテンツＩＤは、自ファイルと対応する課題曲を識別する識別子である。伴奏曲オーディオデータは、課題曲の演奏音を収録する際にＢＧＭとして流す伴奏曲のオーディオデータである。放音設定パラメータは、収録通信端末１０の放音設定の内容を定義したパラメータである。収録設定動作制御ファイルＵＲＬは、採点サービス提供サーバ装置５０のハードディスク５５内における格納位置のアドレスを指し示す固有の文字列である。このＵＲＬが指し示す格納位置には、後に詳述する収録設定動作制御ファイル５５ａが格納されている。ＵＩ画像データは、収録通信端末１０の初期設定時においてそのコンピュータディスプレイ１８に順次表示させる画面の表示内容を夫々表したデータである。
【００１５】
図１において、ファイルリストデータベース４５ｂは、各々が、各課題曲と対応する複数のレコードの集合体である。このデータベース４５ｂを形成する１つのレコードは、「曲名」と「格納位置」の２つのフィールドを有する。「曲名」のフィールドには、曲名データが記憶される。曲名データは、各課題曲の名称を示す文字列である。「格納位置」のフィールドには、各課題曲の初期設定動作制御ファイルＵＲＬが記憶される。
リスト雛形画面データ４５ｃは、曲名データと初期設定動作制御ファイルＵＲＬの各対を埋め込むことで課題曲選択リスト画面が形成され得るような画面レイアウトを記述したＨＴＭＬ（Hyper Text Markup Language ）データである。
【００１６】
採点サービス提供サーバ装置５０は、ＣＰＵ５１、ＲＡＭ５２、ＲＯＭ５３、ネットワークインターフェース５４、ハードディスク５５などを備える。ハードディスク５５は、収録設定動作制御ファイル５５ａとお手本データベース５５ｂとを記憶する。図に示す収録設定動作制御ファイル５５ａは、楽器演奏採点サービスの課題曲と同じ数だけ個別に準備されており、その各々は設定支援サーバ装置４０のハードディスク４５に記憶された各初期設定動作制御ファイル４５ａと対を成している。
図２（ｂ）に示すように、収録設定動作制御ファイル５５ａは、コンテンツＩＤ、収録設定パラメータ、アップロード先ＵＲＬ、及びＵＩ画像データを含んでいる。コンテンツＩＤは、自ファイルと対応する課題曲を識別する識別子である。収録設定パラメータは、収録通信端末１０の収録設定の内容を定義したパラメータである。アップロード先ＵＲＬは、ユーザの楽器から収録した演奏音のオーディオデータのアップロード先となるアドレスを指し示す固有の文字列である。このＵＲＬが指し示すハードディスク５５内の格納位置には、演奏音の巧拙を評価する演奏評価アプリケーションが記憶されている。ＵＩ画像データは、収録通信端末１０の収録設定時においてそのコンピュータディスプレイ１８に順次表示させる画面の表示内容を夫々表したデータである。
【００１７】
図１において、お手本データベース５５ｂは、各々が、一つの課題曲と対応する複数のレコードの集合体である。このデータベースを構成する１つのレコードは、「コンテンツ」と「お手本」の２つのフィールドを有している。「コンテンツ」のフィールドには、各課題曲のコンテンツＩＤが記憶される。「お手本」のフィールドには、お手本オーディオデータが記憶される。お手本オーディオデータは、課題曲の模範として採点サービス提供者が収録した演奏音のオーディオデータである。
【００１８】
次に、本実施形態の動作を説明する。
図３は、本実施形態の動作を示すフローチャートである。
図に示す動作は、ユーザが、楽器演奏採点サービスを利用するための所定の準備作業を行なった後、リスト雛形画像データ４５ｃの格納位置を示すＵＲＬを含んだＨＴＴＰリクエストを自身のパーソナルコンピュータ３０からネットワーク６０へ発信すると開始される（Ｓ１００）。なお、ここにいう準備作業は、収録通信端末１０とパーソナルコンピュータ３０のＵＳＢインターフェース同士をＵＳＢケーブルを介して接続する作業と、スピーカをスピーカインターフェース１９に、楽器をオーディオインターフェース２０に夫々接続する作業を意味する。
【００１９】
パーソナルコンピュータ３０から発信されたＨＴＴＰリクエストは、ＴＣＰ／ＩＴ（Transmission Control Protocol/Internet Protocol）に従ってネットワーク６０上のノードを経由し、その宛先である設定支援サーバ装置４０へ伝送される。
ＨＴＴＰリクエストを受信した設定支援サーバ装置４０のＣＰＵ４１は、そのリクエストに含まれるＵＲＬが指し示すハードディスク４５内の格納位置からリスト雛形画像データ４５ｃを読み出す（Ｓ１１０）。
続いて、ＣＰＵ４１は、ファイルリストデータベース４５ｂの各レコードから読み出した曲名データと初期設定動作制御ファイルＵＲＬの各対をステップ１１０で読み出したリスト雛形画像データ４５ｃに埋め込むことによって課題曲選択リスト画面の表示データを生成し、生成した表示データをパーソナルコンピュータ３０宛てに返信する（Ｓ１２０）。
【００２０】
表示データを受信したパーソナルコンピュータ３０のＣＰＵ３１は、課題曲選択リスト画面をコンピュータディスプレイ１８に表示させる（Ｓ１３０）。
課題曲選択リスト画面の上段には、「課題曲を選択してください。」という内容の文字列が表示される。その下には、設定支援サーバ装置４０のＣＰＵ４１に埋め込まれた曲名データとＵＲＬの各対が表示される。
【００２１】
画面を参照したユーザは、今回の教材として利用する課題曲の初期設定動作制御ファイルＵＲＬにマウスポインタを移動させてそれを選択する。  
初期設定動作制御ファイルＵＲＬが選択されると、パーソナルコンピュータ３０のＣＰＵ３１は、そのＵＲＬを含むＨＴＴＰリクエストをネットワーク６０へ発信する（Ｓ１４０）。
【００２２】
ＨＴＴＰリクエストを受信した設定支援サーバ装置４０のＣＰＵ４１は、そのリクエストに含まれるＵＲＬが指し示すハードディスク４５内の格納位置から初期設定動作制御ファイル４５ａを読み出してパーソナルコンピュータ３０宛てに返信する（Ｓ１５０）。
初期設定動作制御ファイル４５ａを受信したパーソナルコンピュータ３０のＣＰＵ３１は、そのファイルをＵＳＢインターフェース３８を介して収録通信端末１０へ送信する（Ｓ１６０）。
【００２３】
初期設定動作制御ファイル４５ａを受信した収録通信端末１０のＣＰＵ１１は、そのファイルに含まれる、コンテンツＩＤ、伴奏曲オーディオデータ、放音設定パラメータ、収録設定動作制御ファイルＵＲＬ、ＵＩ画像データをＲＡＭ１２に記憶する（Ｓ１７０）。
続いて、ＣＰＵ１１は、フラッシュメモリ１５に記憶された放音制御プログラム１５ａを起動させた後、ステップ１７０でＲＡＭ１２に記憶した放音設定パラメータを用いてその増幅率を設定する（Ｓ１８０）。このステップの実行後、ＣＰＵ１１は、パラメータが指定する放音設定の下に放音制御部として機能できるようになる。
【００２４】
ＣＰＵ１１は、ステップ１７０でＲＡＭ１２に記憶したＵＩ画像データを基にレイアウトした初期設定完了通知画面をコンピュータディスプレイ１８に表示させる（Ｓ１９０）。
初期設定完了通知画面には、「初期設定が完了しました。続いて、収録設定を行います。「受信」のボタンを選択してください。」という内容の文字列が表示される。
画面を参照したユーザは、「受信」のボタンを選択する。
「受信」のボタンが選択されると、収録通信端末１０のＣＰＵ１１は、ステップ１７０でＲＡＭ１２に記憶した収録設定動作制御ファイルＵＲＬを含むＨＴＴＰリクエストをネットワーク６０へ発信する（Ｓ２００）。
【００２５】
収録通信端末１０から発信されたＨＴＴＰリクエストは、ＴＣＰ／ＩＰに従ってネットワーク６０上のノードを経由し、その宛先である採点サービス提供サーバ装置５０へ伝送される。
ＨＴＴＰリクエストを受信した採点サービス提供サーバ装置５０のＣＰＵ５１は、そのリクエストに含まれるＵＲＬが指し示すハードディスク５５内の格納位置から収録設定動作制御ファイル５５ａを読み出して収録通信端末１０宛てに返信する（Ｓ２１０）。
【００２６】
初期設定動作制御ファイル４５ａを受信した収録通信端末１０のＣＰＵ１１は、そのファイルに含まれる、コンテンツＩＤ、収録設定パラメータ、アップロード先ＵＲＬ、ＵＩ画像データをＲＡＭ１２に記憶する（Ｓ２２０）。
ＣＰＵ１１は、フラッシュメモリ１５に記憶された収録制御プログラム１５ｂを起動させた後、ステップ２２０でＲＡＭ１２に記憶した収録設定パラメータを用いてそのエフェクト種別、ミキシング比率、及び符号化規格を設定する（Ｓ２３０）。このステップの実行後、ＣＰＵ１１は、パラメータが指定する収録設定の下に収録制御部として機能できるようになる。
【００２７】
ＣＰＵ１１は、ステップ１７０でＲＡＭ１２に記憶したＵＩ画像データを基にレイアウトした収録設定完了通知画面をコンピュータディスプレイ１８に表示させる（Ｓ２４０）。
収録設定完了通知画面には、「収録設定が完了しました。「収録」のボタンを押して、課題曲の演奏を開始してください。演奏が終了したら「終了」を押して下さい。」という内容の文字列が表示される。
画面を参照したユーザは、収録通信端末１０に接続しておいた楽器の演奏を準備した後、「収録」のボタンを選択する。
「収録」のボタンが選択されると、ＣＰＵ１１は、伴奏曲オーディオデータにデコード処理を施して得たオーディオ信号をスピーカへ出力すると共に、楽器から入力されるオーディオ信号にエンコード処理を施してオーディオデータを取得する（Ｓ２５０）。具体的には、伴奏音オーディオデータをデコードして得たオーディオ信号を放音設定パラメータが示す比率でミキシングしてからスピーカへ出力する処理を行う一方、楽器から入力される左右２チャンネルのオーディオ信号に対して収録設定パラメータが示すエフェクトを付与するための信号処理を施した後、両チャンネルのオーディオ信号を同パラメータが示すミキシング比率でミキシングし、更にそのパラメータが示す符号化規格に従ってエンコードする、という一連の処理を行うことで演奏音のオーディオデータ（以下、「演奏音オーディオデータ」と呼ぶ）を取得する。
【００２８】
課題曲の演奏を終えたユーザは、「終了」のボタンを選択する。
「終了」のボタンが選択されると、ＣＰＵ１１は、ステップ１７０でＲＡＭ１２に記憶したＵＩ画像データを基にレイアウトした再収録問合せ画面をコンピュータディスプレイ１８に表示させる（Ｓ２６０）。
再収録問合せ画面には、「収録した演奏音は、「再生」のボタンを押すことによって確認できます。収録をやり直す場合は、「収録」のボタンをもう一度押して下さい。アップロードする場合は「送信」のボタンを選択してください。」という内容の文字列が表示される。
【００２９】
画面を参照したユーザは、自身の演奏音を確認したい場合は、「再生」のボタンを選択する。
「再生」のボタンが選択されると、ＣＰＵ１１は、ステップ２５０にて取得した演奏音オーディオデータにデコード処理を施して得たオーディオ信号をスピーカへ出力する（Ｓ２７０）。
ユーザは、スピーカから放音される自身の演奏音を聴取し、満足できる出来栄えであるか否か判断する。そして、満足できる出来栄えでないと判断した場合は「収録」のボタンを再び選択する一方、満足できる出来栄えであると判断した場合は「送信」のボタンを選択する。
【００３０】
「収録」のボタンが選択されると、ステップ２５０に戻って以降の処理が繰り返される。
「送信」のボタンが選択されると、ＣＰＵ１１は、自身のユーザＩＤ、ステップ２２０でＲＡＭ１２に記憶したコンテンツＩＤ、及び演奏音オーディオデータを含む評価対象ファイルを、ステップ２２０でＲＡＭ１２に記憶したアップロード先ＵＲＬに宛てて発信する（Ｓ２８０）。
収録通信端末１０から発信された評価対象ファイルは、ＴＣＰ／ＩＰに従ってネットワーク６０上のノードを経由し、その宛先である採点サービス提供サーバ装置５０へ伝送される。
【００３１】
評価対象ファイルを受信した採点サービス提供サーバ装置５０のＣＰＵ５１は、そのファイルに含まれる、ユーザＩＤ、コンテンツＩＤ、演奏音オーディオデータをＲＡＭ５２に記憶する（Ｓ２９０）。
ＣＰＵ５１は、ステップ２９０でＲＡＭ５２に記憶したコンテンツＩＤを「コンテンツ」のフィールドに記憶したレコードをお手本データベース５５ｂから特定し、そのレコードの「お手本」のフィールドからお手本オーディオデータを読み出す（Ｓ３００）。
【００３２】
ＣＰＵ５１は、ステップ２９０でＲＡＭ５２に記憶した演奏音オーディオデータとステップ３００で読み出したお手本オーディオデータを比較することによって演奏の巧拙を評価し、その評価結果を取得する（Ｓ３１０）。
ＣＰＵ５１は、ステップ３１０で取得した評価結果とユーザＩＤとを所定の雛形に埋め込むことによって評価結果提示画面の表示データを取得し、その表示データを収録通信端末１０宛てに返信する（Ｓ３２０）。
表示データを受信した収録通信端末１０のＣＰＵ１１は、評価結果提示画面をコンピュータディスプレイ１８に表示させる（Ｓ３３０）。
評価結果提示画面を参照したユーザは、自らがアップロードした演奏音オーディオデータについて下された評価の内容を了解する。
【００３３】
以上説明した本実施形態では、楽器演奏採点サービスの採点対象となる演奏音を収録する前に、初期設定動作制御ファイル４５ａと収録設定動作制御ファイル５５ａとを収録通信端末１０にダウンロードさせ、それら両ファイルに定義された手順で収録通信端末１０を動作させることにより、増幅率、エフェクトの種別、ミキシング比率、符号化規格などの各種設定を行わせるようになっている。よって、端末の放音特性や収録特性についての複雑な設定操作をユーザに強いることなく楽器演奏採点サービスを利用させることができる。
【００３４】
（他の実施形態）
本実施形態は、種々の変形実施が可能である。
上記実施形態においては、収録設定完了通知画面を参照したユーザが楽器の収録を開始した後、「終了」のボタンが選択されたことをトリガーとして、次の画面である再収録問合せ画面が表示されるようになっていた。これに対し、画面の遷移条件を伴奏曲オーディオデータの再生終了と連動させることにより、「終了」のボタンの選択を不要としてもよい。
上記実施形態においては、採点サービス提供サーバ装置５０が収録通信端末１０からアップロードされた演奏音オーディオデータとお手本オーディオデータとを比較することによって得た評価結果は、評価結果提示画面の表示データとして収録通信端末１０へ送信されるようになっていた。これに対し、この評価結果提示画面の表示データがユーザのパーソナルコンピュータ３０宛てに送信されるようにしてもよい。かかる変形例は、収録通信端末１０から採点サービス提供サーバ装置５０へ送信する評価対象ファイルにパーソナルコンピュータ３０のアドレスを示すデータを内包させておくことで実現される。
上記実施形態では、設定支援サーバ装置４０からダウンロードされる初期設定動作制御ファイル４５ａによって収録通信端末１０の放音設定を行った後、採点サービス提供サーバ装置５０からダウンロードされる収録設定動作制御ファイル５５ａによって同端末１０の収録設定を行うようになっていた。これに対し、サーバ装置から提供される１つの設定動作制御ファイルによって放音設定と収録設定の両者を行わせるようにしてもよい。また、収録通信端末１０の放音設定は同端末１０に標準装備されたものを用いることとし、サーバ装置から提供される設定動作制御ファイルによって収録設定のみを行わせるようにしてもよい。
上記実施形態では、ネットワーク６０の各ノード間におけるデータの転送をＴＣＰ／ＩＰに準拠して行う構成としたが、これは、ディファクトスタンダード化しているプロトコルを採用したに過ぎず、他のプロトコルに準拠した手順でデータ授受を行なう構成としてもよい。また、パーソナルコンピュータ３０と収録通信端末１０を互いのＵＳＢインターフェースを通じて接続するのではなく、他の規格に従ったインターフェースを通じて接続するようにしてもよい。
上記実施形態では、ユーザが演奏音を収録した後に「再生」のボタンを選択すると、収録した演奏音のみがスピーカから放音されるようになっていた。これに対し、収録した演奏音と共にその伴奏音を放音させるようにしてもよい。この変形例は、伴奏音オーディオデータから得たオーディオ信号と収録した演奏音のオーディオ信号を夫々記憶する２つのトラックを収録通信端末１０に設けることで実現可能となる。
また、ユーザが演奏音の収録を行う前にお手本の演奏音を聴取できるようにしてもよい。この変形例は、機能を異にする２つの種類の「再生」のボタンを設けることにより実現可能である。１つは上記実施形態に示したように自らが収録した演奏音の再生を指示するためのボタンであり、もう１つはお手本の演奏音の再生を指示するためのボタンである。
この変形例においては、お手本の演奏音の再生を指示するボタンが選択されると、お手本オーディオデータの提供を求めるリクエストが収録通信端末１０から採点サービス提供サーバ装置５０に宛てて発信される。そして、リクエストに応じて採点サービス提供サーバ装置５０からお手本オーディオデータが返信されてくると、そのお手本オーディオデータをデコードして得た演奏音を伴奏音と共に放音する。この変形例によると、ユーザは、自身の演奏音の収録を行う前にお手本の演奏音を聴取できるので、より良い評価結果を得ることができる。
【図面の簡単な説明】
【００３５】
【図１】採点サービスシステムの全体構成図である。
【図２】動作制御ファイルのデータ構造図である。
【図３】実施形態の動作を示すフローチャートである。
【図４】実施形態の動作を示すフローチャートである。
【図５】実施形態の動作を示すフローチャートである。
【符号の説明】
【００３６】
１０…収録通信端末、１１，３１，４１，５１…ＣＰＵ、１２，３２，４２，５２…ＲＡＭ、１３，３３，４３，５３…ＲＯＭ、１４，３４，４４，５４…ネットワークインターフェース、１５…フラッシュメモリ、１６，３８…ＵＳＢインターフェース、１７…操作子、１８…コンピュータディスプレイ、１９…スピーカインターフェース、２０…オーディオインターフェース、３０…パーソナルコンピュータ、３５，４５，５５…ハードディスク、３６…キーボード、３７…マウス、４０…設定支援サーバ装置、５０…採点サービス提供サーバ装置、６０…ネットワーク
【図１】
2007171252.tif 000003
【図２】
2007171252.tif 000004
【図３】
2007171252.tif 000005
【図４】
2007171252.tif 000006
【図５】
2007171252.tif 000007